(57)【特許請求の範囲】
【請求項１】
シート状の媒体を内部に挿入するための挿入口が形成されている装置本体と、
前記装置本体に設けられ、前記挿入された媒体に対する画像読取動作時に点灯する既存の光源である既存光源と、
前記既存光源と光学的に接続され、前記既存光源で発光された光を導いて、当該導いた光を前記挿入口の内部に出射する導光出射部と、
前記出射された光を検出する受光部と、
前記受光部の検出結果に基づいて、前記媒体が前記挿入口に挿入されたか否かを判断する判断部と、
を備え、
前記既存光源は、前記媒体が前記挿入口に挿入されたか否かの判断時に点灯し、
前記挿入口における前記導光出射部から出射された光の通過領域は、前記挿入口の長手方向である幅方向において、前記挿入口の一端部から他端部まで存在し、
前記導光出射部は、前記既存光源で発光された光を、前記挿入口に対して前記幅方向の一端部側から出射し、
前記受光部は、前記出射された光を、前記挿入口に対して前記幅方向の他端部側で検出し、前記検出した光に基づいて、前記既存光源の点灯特性を検出可能とされ、
前記判断部は、前記既存光源の点灯特性と、前記受光部の検出結果とを比較し、当該比較した結果に基づいて、前記媒体が前記挿入口に挿入されたか否かの判断を行う、
ことを特徴とする画像読取装置。
【請求項２】
前記判断部により前記媒体が挿入されたか否かを判断する場合に、前記既存光源の点灯特性を変更する点灯制御装置をさらに備え、
前記点灯制御装置は、前記判断部により前記媒体が前記挿入されたか否かを判断する場合に、前記既存光源を、外乱光の特性と異なる前記点灯特性で発光させる、
ことを特徴とする請求項１に記載の画像読取装置。
【請求項３】
前記受光部は、前記挿入口の内部に設けられており、
前記受光部の受光面に対して前記媒体が前記挿入口に挿入される方向である挿入方向の上流側に設けられ、少なくとも外乱光の波長領域内の波長の光を透過させない部材である外乱光遮断部材をさらに備える、
ことを特徴とする請求項１に記載の画像読取装置。
【請求項４】
前記受光部は、前記挿入口の内部に設けられており、
前記受光部の受光面に配置され、前記導光出射部から出射された光を透過させるとともに、少なくとも外乱光の波長領域内の波長の光を透過させない光学フィルタである外乱光除去フィルタをさらに備える、
ことを特徴とする請求項１に記載の画像読取装置。
【請求項５】
前記挿入口の内部において、前記媒体が前記挿入口に挿入される方向である挿入方向および前記幅方向の双方と直交する方向である紙厚方向の両端部に互いに対向して設けられ、前記互いに対向する側の表面である対向面に入射した光を反射させる一対の光反射部材をさらに備え、
前記導光出射部から出射される光の光軸は、前記一対の光反射部材により反射された光が前記受光部に受光されるように、前記一対の光反射部材のうちいずれか一方の光反射部材における前記対向面の法線方向と交差している、
ことを特徴とする請求項１〜４のいずれか１項に記載の画像読取装置。
【請求項６】
前記導光出射部には、前記導光出射部から出射される光の出射位置が、前記媒体が前記挿入口に挿入される方向である挿入方向および前記幅方向の双方と直交する方向である紙厚方向において複数設定されており、
前記受光部には、前記導光出射部において設定されている前記複数の出射位置それぞれに対応して、前記導光出射部から出射された光の受光位置が前記紙厚方向において複数設定されている、
ことを特徴とする請求項１に記載の画像読取装置。
【請求項７】
前記挿入口の内部において、前記媒体が前記挿入口に挿入される方向である挿入方向および前記幅方向の双方と直交する方向である紙厚方向の一端部に設けられ、前記導光出射部と光学的に接続され、前記導光出射部から出射された光を入射し、当該入射した光を屈折させることで前記幅方向における複数の位置から前記挿入口の内部に出力する第１光屈折部材と、
前記挿入口の内部において、前記紙厚方向の他端部に前記第１光屈折部材と対向して設けられ、前記受光部と光学的に接続され、前記挿入口の内部を通過した光を入射し、当該入射した光を屈折させることで収束させて前記受光部に出力する第２光屈折部材と、
をさらに備える、
ことを特徴とする請求項１に記載の画像読取装置。
【請求項８】
前記第１光屈折部材は、前記導光出射部から出射された光を前記幅方向に沿って導光するとともに拡散させ、前記第２光屈折部材へ向けて前記拡散させた光を出力する、
ことを特徴とする請求項７に記載の画像読取装置。
【請求項９】
前記既存光源は、前記判断部により前記媒体が前記挿入されたか否かを判断する場合に、間欠的に動作する、
ことを特徴とする請求項１〜８のいずれか１項に記載の画像読取装置。
【発明の詳細な説明】
【技術分野】
【０００１】
本発明は、シート状の媒体を搬送しながら、この搬送されている媒体を撮像する画像読取装置に関するものである。
【背景技術】
【０００２】
従来より、シート状の媒体を搬送しながら、この搬送されている媒体を撮像する画像読取装置が提案されている。画像読取装置では、シート状の媒体は、装置本体の挿入口に挿入されると、搬送ローラにより撮像装置へ搬送され、撮像装置により撮像され、搬送ローラにより装置本体から排出される。
【０００３】
画像読取装置では、通常、挿入口に挿入されたシート状の媒体を検出するセンサが設けられており、このセンサがシート状の媒体を検出すると、挿入口に挿入されたシート状の媒体に対して、搬送ローラによる撮像装置への搬送および撮像装置による撮像が行われる。
【０００４】
シート状の媒体を検出する点に関連する技術として、用紙載置部から用紙搬送路に至る箇所に設けられたセンサにより原稿を検出する給紙装置が提案されている（特許文献１）。
【０００５】
特許文献１の給紙装置は、複数のセンサが例えば原稿載置部の原稿供給口部上で、幅方向に隔設されている。各センサは、用紙側フィラー部片およびセンサフィラーが光電センサに対し支軸を介して揺動可能に支持されたものである。各センサは、用紙側フィラー部片がピックアップローラにより原稿載置部から繰出された原稿に作用されると、用紙側フィラー部片およびセンサフィラーが揺動し、光電センサがセンサフィラーにより遮られていた発光部からの光を受光し、原稿を検出する。つまり、特許文献１の給紙装置は、幅方向に隔設されている複数のセンサの出力結果に基づいて、原稿幅を検知するものである。
【先行技術文献】
【特許文献】
【０００６】
【特許文献１】特許第４３００９４３号公報
【発明の概要】
【発明が解決しようとする課題】
【０００７】
一般に、画像読取装置では、挿入口に挿入されたシート状の媒体を検出したり、あるいは、シート状の媒体が用紙トレイに載置されたか否かを検出したりするために、幅方向に沿って、例えば、複数のセンサを設置したり、あるいは、例えば上記の特許文献１の給紙装置の用紙側フィラー部片のようなアーム部を複数備えたセンサを設置したりしていた。
【０００８】
これらのセンサでは、部品点数が多くなってしまったり、あるいは、構造が複雑になってしまったりするため、装置が大型化してしまったり、装置コストが増大してしまったりしていた。このため、新たな構成で、挿入口に挿入されたシート状の媒体を検出するものが望まれる。
【０００９】
本発明は、上記に鑑みてなされたものであって、新たな構成で、装置本体の挿入口に挿入されたシート状の媒体を検出することができる画像読取装置を得ることを目的とする。
【課題を解決するための手段】
【００１０】
上述した課題を解決し、目的を達成するために、本発明に係る画像読取装置は、シート状の媒体を内部に挿入するための挿入口が形成されている装置本体と、前記装置本体に設けられ、前記挿入された媒体に対する画像読取動作時に点灯する既存の光源である既存光源と、前記既存光源と光学的に接続され、前記既存光源で発光された光を導いて、当該導いた光を前記挿入口の内部に出射する導光出射部と、前記出射された光を検出する受光部と、前記受光部の検出結果に基づいて、前記媒体が前記挿入口に挿入されたか否かを判断する判断部と、を備え、前記既存光源は、前記媒体が前記挿入口に挿入されたか否かの判断時に点灯し、前記挿入口における前記導光出射部から出射された光の通過領域は、前記挿入口の長手方向である幅方向において、前記挿入口の一端部から他端部まで存在し、前記導光出射部は、前記既存光源で発光された光を、前記挿入口に対して前記幅方向の一端部側から出射し、前記受光部は、前記出射された光を、前記挿入口に対して前記幅方向の他端部側で検出し、前記検出した光に基づいて、前記既存光源の点灯特性を検出可能とされ、前記判断部は、前記既存光源の点灯特性と、前記受光部の検出結果とを比較し、当該比較した結果に基づいて、前記媒体が前記挿入口に挿入されたか否かの判断を行う、ことを特徴としている。
【００１３】
また、上記画像読取装置において、前記判断部により前記媒体が挿入されたか否かを判断する場合に、前記既存光源の点灯特性を変更する点灯制御装置をさらに備え、前記点灯制御装置は、前記判断部により前記媒体が前記挿入されたか否かを判断する場合に、前記既存光源を、外乱光の特性と異なる前記点灯特性で発光させる、ことが好ましい。
【００１４】
また、上記画像読取装置において、前記受光部は、前記挿入口の内部に設けられており、前記受光部の受光面に対して前記媒体が前記挿入口に挿入される方向である挿入方向の上流側に設けられ、少なくとも外乱光の波長領域内の波長の光を透過させない部材である外乱光遮断部材をさらに備える、ことが好ましい。
【００１５】
また、上記画像読取装置において、前記受光部は、前記挿入口の内部に設けられており、前記受光部の受光面に配置され、前記導光出射部から出射された光を透過させるとともに、少なくとも外乱光の波長領域内の波長の光を透過させない光学フィルタである外乱光除去フィルタをさらに備える、ことが好ましい。
【００１６】
また、上記画像読取装置において、前記挿入口の内部において、前記媒体が前記挿入口に挿入される方向である挿入方向および前記幅方向の双方と直交する方向である紙厚方向の両端部に互いに対向して設けられ、前記互いに対向する側の表面である対向面に入射した光を反射させる一対の光反射部材をさらに備え、前記導光出射部から出射される光の光軸は、前記一対の光反射部材により反射された光が前記受光部に受光されるように、前記一対の光反射部材のうちいずれか一方の光反射部材における前記対向面の法線方向と交差している、ことが好ましい。
【００１７】
また、上記画像読取装置において、前記導光出射部には、前記導光出射部から出射される光の出射位置が、前記媒体が前記挿入口に挿入される方向である挿入方向および前記幅方向の双方と直交する方向である紙厚方向において複数設定されており、前記受光部には、前記導光出射部において設定されている前記複数の出射位置それぞれに対応して、前記導光出射部から出射された光の受光位置が前記紙厚方向において複数設定されている、ことが好ましい。
【００１８】
また、上記画像読取装置において、前記挿入口の内部において、前記媒体が前記挿入口に挿入される方向である挿入方向および前記幅方向の双方と直交する方向である紙厚方向の一端部に設けられ、前記導光出射部と光学的に接続され、前記導光出射部から出射された光を入射し、当該入射した光を屈折させることで前記幅方向における複数の位置から前記挿入口の内部に出力する第１光屈折部材と、前記挿入口の内部において、前記紙厚方向の他端部に前記第１光屈折部材と対向して設けられ、前記受光部と光学的に接続され、前記挿入口の内部を通過した光を入射し、当該入射した光を屈折させることで収束させて前記受光部に出力する第２光屈折部材と、をさらに備える、ことが好ましい。
【００１９】
また、上記画像読取装置において、前記第１光屈折部材は、前記導光出射部から出射された光を前記幅方向に沿って導光するとともに拡散させ、前記第２光屈折部材へ向けて前記拡散させた光を出力する、ことが好ましい。
【００２０】
また、上記画像読取装置において、前記既存光源は、前記判断部により前記媒体が前記挿入されたか否かを判断する場合に、間欠的に動作する、ことが好ましい。
【発明の効果】
【００２１】
シート状の媒体が装置本体の挿入口に挿入されると、挿入口内では、シート状の媒体により導光出射部から出射された光の少なくとも一部が遮られ、受光部が受光する光に変化が生じる。このため、判断部は、受光部が受光した光の変化に基づいて、挿入口に挿入されたシート状の媒体を検出することができるという効果を奏する。以上のように、新たな構成で、装置本体に挿入されたシート状の媒体を検出することができるという効果を奏する。また、既存光源を使用して挿入口に挿入されたシート状の媒体を検出するため、シート状の媒体を検出するための光源を別途設けなくてもよいという効果を奏する。また、１箇所に設置された受光部によりシート状の媒体を検出することができるため、装置の部品点数が削減され、装置の小型化を図ることができるという効果を奏する。
【図面の簡単な説明】
【００２２】
【図１】図１は、実施の形態１に係る画像読取装置の概略を示す斜視図である。
【図２】図２は、画像読取装置の概略を示す側面図である。
【図３】図３は、画像読取装置の要部を示す上面図である。
【図４】図４は、既存光源の常時点灯状態における受光量とスライスとの関係を示すタイミングチャートである。
【図５】図５は、既存光源の点滅状態における受光量とスライスとの関係を示すタイミングチャートである。
【図６】図６は、既存光源の他の点滅状態における受光量とスライスとの関係を示すタイミングチャートである。
【図７】図７は、画像読取装置の動作手順の概略のフローチャートを示す図である。
【図８】図８は、実施の形態２に係る画像読取装置の要部を示す上面図である。
【図９】図９は、画像読取装置の要部の他の例を示す上面図である。
【図１０】図１０は、実施の形態３に係る画像読取装置の概略を示す図である。
【図１１】図１１は、実施の形態４に係る画像読取装置の概略を示す図である。
【図１２】図１２は、実施の形態５に係る画像読取装置の概略を示す図である。
【図１３】図１３は、実施の形態６に係る画像読取装置の概略を示す図である。
【図１４】図１４は、実施の形態７に係る画像読取装置の概略を示す図である。
【発明を実施するための形態】
【００２３】
以下に、本発明に係る画像読取装置の実施の形態を図面に基づいて詳細に説明する。なお、以下の各実施の形態によりこの発明が限定されるものではない。
【００２４】
〔実施の形態１〕
以下、実施の形態１に係る画像読取装置について説明する。図１は、実施の形態１に係る画像読取装置の概略を示す斜視図である。図２は、画像読取装置の概略を示す側面図である。図３は、画像読取装置の要部を示す上面図である。画像読取装置１は、シート状の媒体Ｐを搬送しながら、この搬送されているシート状の媒体Ｐを撮像するものである。以下、シート状の媒体Ｐを、単に媒体Ｐということとする。実施の形態１では、画像読取装置１は、媒体Ｐが後述の挿入口１０ａに挿入される際に、挿入口１０ａに挿入される媒体Ｐの幅方向の位置決めが不要とされた所謂フリーセットスキャナである。ここでいう幅方向とは、挿入口１０ａの後述の長手方向である。画像読取装置１は、装置本体１０と、搬送ローラ１１と、撮像ユニット１２と、媒体検出装置１３とを備えている。
【００２５】
装置本体１０は、実施の形態１では、画像読取装置１が備える要素、例えば、搬送ローラ１１と、撮像ユニット１２と、媒体検出装置１３とを収容するものである。装置本体１０は、実施の形態１では、矩形箱状の筐体であり、水平面に載置した状態で、４つの側面のうちの１つの側面に挿入口１０ａが形成されている。挿入口１０ａは、媒体Ｐを装置本体１０の内部に挿入するための開口部であり、正面視にて水平面に略平行な方向に長手とされた長方形状の開口部である。挿入口１０ａの長手方向である幅方向の幅Ｗは、装置本体１０内で撮像ユニット１２により撮像可能な媒体Ｐのうち、幅方向の幅が最も広い媒体Ｐの幅Ｗｐよりも広い幅に設定されている。
【００２６】
搬送ローラ１１は、媒体Ｐを搬送するものである。搬送ローラ１１は、実施の形態１では、例えば、１組のローラ対である給紙用ローラ１１１と、１組のローラ対である排紙用ローラ１１２とを備えている。
【００２７】
給紙用ローラ１１１は、搬送方向において最も上流側に配置された搬送ローラ１１であり、給紙トレイ２から装置本体１０内に挿入された媒体Ｐを、撮像ユニット１２による媒体Ｐの撮像位置に搬送するものである。ここでいう搬送方向とは、媒体Ｐが搬送される方向である。以下、撮像ユニット１２による媒体Ｐの撮像位置を、単に撮像位置ということとする。給紙用ローラ１１１は、実施の形態１では、搬送路に対して回転軸が下方に配置された駆動ローラ１１１ａと、搬送路に対して回転軸が上方に配置された従動ローラ１１１ｂとを備えるローラ対である。実施の形態１では、従動ローラ１１１ｂは、搬送路を挟むようにして駆動ローラ１１１ａと対向しており、駆動ローラ１１１ａと接触可能に配置されている。
【００２８】
実施の形態１では、従動ローラ１１１ｂは、駆動ローラ１１１ａとの間に進入した媒体Ｐの紙面に押圧されるように支持されている。実施の形態１では、従動ローラ１１１ｂは、駆動ローラ１１１ａとの間に媒体Ｐが進入していない場合には、外周面が駆動ローラ１１１ａの外周面と接触している。駆動ローラ１１１ａは、従動ローラ１１１ｂとの間に進入した媒体Ｐと接触し、後述の駆動系により回転することで、この接触した媒体Ｐを搬送方向に搬送する。
【００２９】
排紙用ローラ１１２は、搬送方向において最も下流側に配置された搬送ローラ１１であり、撮像ユニット１２により撮像された媒体Ｐを、装置本体１０から排紙トレイ３に、つまり、外部に排出するものである。排紙用ローラ１１２は、実施の形態１では、搬送路に対して回転軸が下方に配置された駆動ローラ１１２ａと、搬送路に対して回転軸が上方に配置された従動ローラ１１２ｂとを備えるローラ対である。駆動ローラ１１２ａと従動ローラ１１２ｂとの関係は、駆動ローラ１１１ａと従動ローラ１１１ｂとの関係と同様であるので、説明を省略する。
【００３０】
給紙用ローラ１１１と排紙用ローラ１１２との間には、裏当て部材１１ａおよび搬送ガイド１１ｂが配置されている。裏当て部材１１ａは、後述の画像読取支持板１１ｃを挟んで撮像ユニット１２と対向しており、撮像ユニット１２から出射される光の光軸上に配置されている。この裏当て部材１１ａは、実施の形態１では、画像読取装置１の装置本体１０に支持されている。また、裏当て部材１１ａの搬送方向と直交する方向である主走査方向の幅は、画像読取装置１によりスキャンを行うことができる媒体Ｐのうち、最も主走査方向の幅が広い媒体Ｐの幅よりも長い幅に設定されている。このため、裏当て部材１１ａは、撮像ユニット１２による媒体Ｐのスキャン時には、一部が媒体Ｐとともにスキャンされる。
【００３１】
給紙用ローラ１１１と裏当て部材１１ａとの間、および、排紙用ローラ１１２と裏当て部材１１ａとの間には、それぞれ搬送ガイド１１ｂが配置されている。すなわち、２つの搬送ガイド１１ｂは、搬送方向において、裏当て部材１１ａを間に挟んだ状態で、給紙用ローラ１１１と排紙用ローラ１１２との間に配置されている。これらの画像読取支持板１１ｂは、実施の形態１では、画像読取装置１の装置本体１０に支持されている。搬送ガイド１１ｂは、駆動ローラ１１１ａと裏当て部材１１ａとの間、あるいは、駆動ローラ１１２ａと裏当て部材１１ａとの間で、搬送ローラ１１により搬送される媒体Ｐを支持する。
【００３２】
搬送ガイド１１ｂは、裏当て部材１１ａとともに、画像読取支持板１１ｃと対向して配置されている。画像読取支持板１１ｃは、給紙用ローラ１１１および排紙用ローラ１１２により搬送される媒体Ｐを支持するものである。画像読取支持板１１ｃは、無色透明の板材である。実施の形態１では、画像読取支持板１１ｃは、裏当て部材１１ａおよび搬送ガイド１１ｂに対して、上方に配置されている。
【００３３】
駆動ローラ１１１ａおよび駆動ローラ１１２ａは、図示しない駆動系により回転される。この駆動系は、例えば、駆動モータと、駆動力伝達装置とを備えている。駆動モータは、例えば、ステッピングモータとされている。この駆動モータは、後述の制御装置１３３から電力が供給されることで駆動し、例えば、制御装置１３３からパルス信号が送られることで駆動する。これにより、駆動モータは、駆動力伝達装置を介して、駆動ローラ１１１ａおよび駆動ローラ１１２ａをそれぞれ回転（図２において、右回り）させることができる。
【００３４】
以上説明したような搬送ローラ１１、つまり、給紙用ローラ１１１および排紙用ローラ１１２は、制御装置１３３により電力が駆動モータに供給されることで、駆動力伝達装置を介して、駆動される。
【００３５】
撮像ユニット１２は、撮像装置である。撮像ユニット１２は、搬送ローラ１１により搬送された媒体Ｐを撮像するものである。実施の形態１では、撮像ユニット１２は、搬送方向において、２つの搬送ガイド１１ｂの間に配置されている。実施の形態１では、撮像ユニット１２は、搬送路に対して２つの搬送ガイド１１ｂが配置されている側と反対側、すなわち、搬送路に対して上方側に１個配置されており、搬送路と対向している。なお、撮像ユニット１２は、搬送路に対して、上方と下方とに１個ずつ配置し、媒体Ｐの両面を撮像できるようにしてもよい。
【００３６】
撮像ユニット１２は、光源１２ａと、撮像センサ１２ｂとを備えている。
【００３７】
光源１２ａは、既存光源である。すなわち、光源１２ａは、挿入口１０ａに挿入された媒体Ｐに対する画像読取動作時に点灯する既存の光源である。光源１２ａは、裏当て部材１１ａおよび画像読取支持板１１ｃに支持された媒体Ｐに光を照射するものである。光源１２ａは、装置本体１０に設けられている。光源１２ａは、搬送方向において、例えば、撮像センサ１２ｂの近傍に配置されており、実施の形態１では、撮像センサ１２ｂの上流側に配置されている。この光源１２ａは、例えば、白色蛍光ランプやＬＥＤ等の光源であり、図示しない導光板により出射光を散乱させ、搬送ローラ１１により搬送されている媒体Ｐに向けて主走査方向にライン状となる光を出射するものである。また、光源１２ａは、後述の導光出射部１３１と光学的に接続されており、導光出射部１３１に対しても光を出射するものである。光源１２ａは、後述の媒体Ｐが挿入口１０ａに挿入されたか否かの判断時に点灯する。光源１２ａは、制御装置１３３からの点灯指示に応じて点灯する。
【００３８】
撮像センサ１２ｂは、例えば複数のＣＣＤ（Ｃｈａｒｇｅ  Ｃｏｕｐｌｅｄ  Ｄｅｖｉｃｅ）撮像素子を備えている。この他、撮像センサ１２ｂは、例えば複数のＣＭＯＳ型の撮像素子を備えているものであってもよい。撮像センサ１２ｂが複数のＣＣＤ撮像素子を備えている場合には、光源１２ａとして、例えば、白色蛍光ランプや白色ＬＥＤが適用される。撮像センサ１２ｂが複数のＣＭＯＳ型の撮像素子を備えている場合、すなわち、画像読取装置１が所謂ＣＩＳ型の画像読取装置である場合には、光源１２ａとして、Ｒ光を発光するＬＥＤであるＲＬＥＤ、Ｇ光を発光するＬＥＤであるＧＬＥＤ、および、Ｂ光を発光するＬＥＤであるＢＬＥＤの３種類のＬＥＤが適用される。
【００３９】
撮像センサ１２ｂに備えられている複数の撮像素子は、主走査方向にライン状に配列されている。撮像センサ１２ｂは、搬送ローラ１１により搬送されている媒体Ｐで反射した光源１２ａからの光である反射光の光軸上に配置されており、光源１２ａの点灯状態で、搬送ローラ１１により媒体Ｐが搬送方向に搬送されることで、媒体Ｐの全領域を内部に含む領域である読取領域を走査する。したがって、搬送ローラ１１により媒体Ｐが撮像位置へ向けて搬送方向に搬送されている場合、言い換えれば、媒体Ｐのスキャンを実行中の場合、撮像センサ１２ｂの各撮像素子には、媒体Ｐで反射した光源１２ａからの光である反射光が入射されるので、撮像センサ１２ｂの各撮像素子からは読取領域に対応した露光ごとの撮像画像信号が出力される。撮像センサ１２ｂは、各撮像素子から出力された露光ごとの撮像画像信号から、主走査方向ごとのラインデータを生成し、出力する。
【００４０】
以上のように、撮像センサ１２ｂは、搬送ローラ１１により撮像位置に向けて搬送されている媒体Ｐからの反射光に基づいて、媒体Ｐを撮像する。このような撮像センサ１２ｂは、制御装置１３３からの撮像指示に応じて媒体Ｐの撮像を行う。
【００４１】
媒体検出装置１３は、挿入口１０ａに挿入された媒体Ｐを検出するものである。媒体検出装置１３は、導光出射部１３１と、受光部１３２と、制御装置１３３とを備えている。
【００４２】
導光出射部１３１は、光源１２ａで発光された光を挿入口１０ａの内部に出射するものである。実施の形態１では、導光出射部１３１は、出射部１３１ａと、導光部材１３１ｂとを備えている。
【００４３】
出射部１３１ａは、導光部材１３１ｂが導いた光を挿入口１０ａの内部に出射するものである。ここでいう挿入口１０ａの内部とは、挿入口１０ａを正面から見た場合に、挿入口１０ａの開口部を形成している空間である。実施の形態１では、出射部１３１ａは、挿入口１０ａの内部において、幅方向の一端部に設けられている。出射部１３１ａは、光が出射される出射面１３１ｃが挿入口１０ａの内部に露出しており、導光部材１３１ｂが導いた光を、挿入口１０ａの内部に出射する。
【００４４】
導光部材１３１ｂは、光源１２ａと出射部１３１ａとを光学的に接続するものである。実施の形態１では、導光部材１３１ｂは、長尺状の部材であり、例えば、導光プリズムあるいは光ファイバー等の部材である。導光部材１３１ｂは、光源１２ａと出射部１３１ａとの間に介在している。導光部材１３１ｂの長尺方向の一端部は、出射部１３１ａと光学的に接続されている。実施の形態１では、導光部材１３１ｂの長尺方向の一端部は、出射部１３１ａと一体的に接続されている。導光部材１３１ｂの長尺方向の他端部は、光源１２ａと光学的に接続されている。実施の形態１では、導光部材１３１ｂの長尺方向の他端部は、光源１２ａの図示しない導光板と一体に接続されている。この他、導光部材１３１ｂは、上記の長尺状の部材に代えて、光源１２ａと出射部１３１ａとの間に介在する反射ミラーであってもよい。すなわち、導光出射部１３１は、光源１２ａと光学的に接続されており、導光部材１３１ｂにより光源１２ａで発光された光を導いて、出射部１３１ａによりこの導いた光を挿入口１０ａの内部に出射する。
【００４５】
受光部１３２は、導光出射部１３１から出射された光を検出するものである。受光部１３２は、挿入口１０ａの内部において、幅方向の他端部に設けられている。受光部１３２は、光を受光する受光面１３２ａが挿入口１０ａの内部に露出している。受光部１３２は、受光面１３２ａが挿入口１０ａを介して導光出射部１３１の出射部１３１ａの出射面１３１ｃと対向して配置されており、出射部１３１ａから出射されて挿入口１０ａの内部を通過した光を検出する。実施の形態１では、受光部１３２は、検出した光に基づいて、光源１２ａの点灯特性を検出可能とされている。
【００４６】
すなわち、実施の形態１では、導光出射部１３１は、光源１２ａで発光された光を、挿入口１０ａに対して幅方向の一端部側から出射するものであり、受光部１３２は、導光出射部１３１から出射された光を、挿入口１０ａに対して幅方向の他端部側で検出するものである。
【００４７】
以上から、挿入口１０ａにおける導光出射部１３１から出射された光の通過領域は、幅方向において、挿入口１０ａの一端部から他端部まで存在したものとなる。実施の形態１では、挿入口１０ａにおける導光出射部１３１から出射された光の通過領域は、出射部１３１ａから出射された光が幅方向に沿って、１本の光が挿入口１０ａの一端部と他端部との間を横切るものとなる。以下、挿入口１０ａにおける導光出射部１３１から出射された光の通過領域を、単に、光の通過領域ということとする。
【００４８】
制御装置１３３は、少なくとも搬送ローラ１１および撮像ユニット１２を制御するものである。
【００４９】
また、制御装置１３３は、判断部としての機能を備えており、受光部１３２の検出結果に基づいて、媒体Ｐが挿入口１０ａに挿入されたか否かを判断するものである。実施の形態１では、制御装置１３３は、後述の光源１２ａの点灯特性と、受光部１３２の検出結果とを比較し、この比較した結果に基づいて、媒体Ｐが挿入口１０ａに挿入されたか否かの判断を行う。
【００５０】
また、制御装置１３３は、点灯制御装置としての機能を備えており、判断部として媒体Ｐが挿入口１０ａに挿入されたか否かを判断する場合に、光源１２ａの点灯特性を変更するものである。実施の形態１では、制御装置１３３は、判断部として媒体Ｐが挿入口１０ａに挿入されたか否かを判断する場合に、光源１２ａの点灯特性を媒体検出用の点灯特性に変更する。ここでいう光源１２ａの点灯特性とは、光源１２ａで発光される光の光量あるいは強度である光源１２ａの出力、光源１２ａの周期的な点滅、あるいは、光源１２ａで発光される光の波長である。つまり、実施の形態１では、制御装置１３３は、媒体Ｐが挿入口１０ａに挿入されたか否かの判断時に、画像読取動作時の光源１２ａの点灯特性に対し、媒体Ｐが挿入口１０ａに挿入されたか否かを検出するために、光源１２ａの出力を周期的に変動させるか、光源１２ａを周期的に点滅させるか、あるいは、光源１２ａで発光される光の波長を周期的に変更する。
【００５１】
制御装置１３３は、判断部として媒体Ｐが挿入口１０ａに挿入されたか否かを判断する場合に、光源１２ａを、外乱光の特性と異なる点灯特性で発光させる。具体的には、制御装置１３３は、外乱光が例えば蛍光灯の光、すなわち、周期的に点滅する光である場合には、判断部として媒体Ｐが装置本体１０に挿入されたか否かを判断するときに、光源１２ａの出力を外乱光の点滅周期と異なる周期で変動させるか、光源１２ａを外乱光の点滅周期と異なる周期で点滅させるか、あるいは、光源１２ａで発光される光の波長を外乱光の点滅周期と異なる周期で変更する。以下、制御装置１３３は、判断部として媒体Ｐが挿入口１０ａに挿入されたか否かを判断する場合に、光源１２ａを周期的に点滅させるものとして説明する。
【００５２】
なお、図２において、符号２０で示している画像処理部は、撮像センサ１２ｂから出力された複数のラインデータを集めることで、媒体Ｐの全領域に対応した撮像画像データを生成するものである。また、図２において、符号２１で示しているインタフェース部は、画像読取装置１を図示しない外部の電子機器との間で通信可能とするものである。画像処理部２０は、制御装置１３３からの画像処理指示に応じて、媒体Ｐの全領域に対応した撮像画像データを生成する。また、インタフェース部２１は、制御装置１３３からの通信指示に応じて、例えば、画像処理部２０と外部の電子機器との間で撮像画像データの通信を行う。以上のように、画像処理部２０およびインタフェース部２１は、制御装置１３３により制御される。
【００５３】
次に、実施の形態１の画像読取装置１の動作について説明する。
【００５４】
図４は、既存光源の常時点灯状態における受光量とスライスとの関係を示すタイミングチャートである。図４における（ａ）は、導光出射部１３１から出射された光の受光レベルと、外乱光の受光レベルとを示す図である。図４における（ｂ）は、導光出射部１３１から出射された光と外乱光とを合わせた光の受光レベルを示す図である。図４における（ａ）に示すように、制御装置１３３により、媒体Ｐが挿入口１０ａに挿入されたか否かを判断する場合に、光源１２ａを画像読取動作時の点灯特性、すなわち、一定の光量で常時発光させると、導光出射部１３１から出射された光は、媒体Ｐが挿入口１０ａに挿入されるまでは、受光部１３２により一定の受光レベルで検出される（時刻０≦ｔ＜ｔ１）。しかし、導光出射部１３１から出射された光は、媒体Ｐが挿入口１０ａに挿入されると（時刻ｔ＝ｔ１）、挿入口１０ａに挿入された媒体Ｐにより遮られ、受光部１３２により検出されない（時刻ｔ≧ｔ１）。
【００５５】
図４における（ａ）に示すように、受光部１３２の受光面１３２ａに外乱光が入射する場合には、受光部１３２により検出される光は、導光出射部１３１から出射された光と外乱光とが混在したものとなるため、図４における（ｂ）に示すように、受光部１３２により検出される光の受光レベルは、導光出射部１３１から出射された光の受光レベルと外乱光の受光レベルとの総和となる。このため、受光部１３２の受光面１３２ａに外乱光が入射する場合には、媒体Ｐが挿入口１０ａに挿入されていても、受光部１３２における受光レベルは、受光部１３２における受光量に対するスライスを超えてしまうことが比較的多くなる。つまり、制御装置１３３は、受光部１３２の受光面１３２ａに外乱光が入射する場合には、媒体Ｐが挿入口１０ａに挿入されていても、媒体Ｐが挿入口１０ａに挿入されていないと判断してしまう可能性が高くなる。
【００５６】
そこで、制御装置１３３は、媒体Ｐの検出精度を向上させるために、媒体Ｐが挿入口１０ａに挿入されたか否かを判断する場合に、光源１２ａを周期的に点滅させる。図５は、既存光源の点滅状態における受光量とスライスとの関係を示すタイミングチャートである。図５における（ａ）は、光源１２ａの点灯パターンを示す図である。図５における（ｂ）は、導光出射部１３１から出射された光の受光レベルと、外乱光の受光レベルとを示す図である。図５における（ｃ）は、導光出射部１３１から出射された光と外乱光とを合わせた光の受光レベルを示す図である。図５における（ｄ）は、媒体Ｐが挿入口１０ａに挿入されたか否かの判定結果を示す図である。
【００５７】
図５における（ａ）および（ｂ）に示すように、制御装置１３３により、光源１２ａを外乱光の特性と異なる点灯特性で発光させる。実施の形態１では、制御装置１３３により光源１２ａの出力をＨｉレベルとＬｏレベルとで交互に周期的に変更させると、導光出射部１３１から出射された光は、媒体Ｐが挿入口１０ａに挿入されるまでは、受光部１３２により光源１２ａの点灯パターンと同じパターンで検出される（時刻０≦ｔ＜ｔ２）。しかし、導光出射部１３１から出射された光は、媒体Ｐが挿入口１０ａに挿入されると（時刻ｔ＝ｔ２）、挿入口１０ａに挿入された媒体Ｐにより遮られ、受光部１３２により検出されない（時刻ｔ≧ｔ２）。この点は、図４に示す場合と同様である。
【００５８】
図５における（ｂ）に示すように、受光部１３２の受光面１３２ａに外乱光が入射する場合には、受光部１３２により検出される光は、導光出射部１３１から出射された光と外乱光とが混在したものとなる。このため、図５における（ｃ）に示すように、受光部１３２により検出される光の受光レベルは、導光出射部１３１から出射された光の受光レベルと、外乱光の受光レベルとの総和となる。しかし、光源１２ａは点滅を繰り返すため、導光出射部１３１から出射される光は、断続的に受光部１３２の受光面１３２ａに入射することとなる。このため、光源１２ａが消灯している際に受光部１３２が検出した光の受光レベルは、外乱光の受光レベルそのものとなる。したがって、光源１２ａが消灯している際には、受光部１３２における受光レベルが受光部１３２における受光量に対するスライスを超えてしまうことを抑制することができる。つまり、光源１２ａが点滅を繰り返している際には、受光部１３２における受光レベルが受光部１３２における受光量に対するスライスを継続して超えてしまうことを抑制することができる。
【００５９】
図５における（ｃ）の網掛け部分は、受光部１３２の検出結果が光源１２ａの点灯パターンと異なっている箇所を示している。制御装置１３３は、光源１２ａの点灯パターンと受光部１３２の検出結果とを比較し、受光部１３２の検出結果、すなわち、受光部１３２が検出した光の実値が光源１２ａの点灯パターンと異なっている箇所を抽出する。図５における（ｄ）では、受光部１３２が検出した光の実値が光源１２ａの点灯パターンと異なっている箇所を「ＯＦＦ」、受光部１３２が検出した光の実値が光源１２ａの点灯パターンと同じである箇所を「ＯＮ」と表記している。
【００６０】
図５における（ｃ）および（ｄ）に示すように、制御装置１３３は、媒体検出装置１３が外乱光を検出した場合であるのか、あるいは、媒体検出装置１３が媒体Ｐを検出した場合であるのかを区別するために、光源１２ａの点灯パターンと受光部１３２の検出結果とが連続して複数回異なった場合に、媒体Ｐを検出したと判断する。図５に示す例では、制御装置１３３は、少なくとも光源１２ａの点灯パターンと受光部１３２の検出結果とが連続して４回、すなわち、光源１２ａに入力される点灯指示の２パルス分以上異なった場合（時刻ｔ＝ｔ３）に、媒体Ｐが挿入口１０ａに挿入されたと判断する（時刻ｔ≧ｔ３）。つまり、制御装置１３３は、１パルス分の点灯指示で点滅する光源１２ａの点灯パターンと受光部１３２の受光結果とからでは、媒体検出装置１３が外乱光を検出した場合であるのか、あるいは、媒体検出装置１３が媒体Ｐを検出した場合であるのかを区別できない。このため、制御装置１３３は、さらに少なくとももう１パルス分の点灯指示で点滅する光源１２ａの点灯パターンと受光部１３２の検出結果とを比較し、媒体検出装置１３が外乱光を検出した場合であるのか、あるいは、媒体検出装置１３が媒体Ｐを検出した場合であるのかを区別する。
【００６１】
図５に示す例では、制御装置１３３は、光源１２ａの点灯パターンと受光部１３２の検出結果とが連続して異なった回数が１回以上４回未満である場合には、受光部１３２が外乱光を検出したと判断し、媒体Ｐが挿入口１０ａに挿入されていないと判断する。つまり、制御装置１３３は、光源１２ａの点灯パターンと受光部１３２の検出結果とが異なる場合に、光源１２ａの点灯パターンと受光部１３２の検出結果との違いが外乱光の影響によるものなのか、あるいは、媒体Ｐが挿入口１０ａに挿入されたことによるものなのかを区別することができる。したがって、媒体Ｐが挿入口１０ａに挿入されたか否かの判断精度を向上させることができる。
【００６２】
また、図５における（ｄ）では、外乱光の影響により誤検出した箇所を太枠部分で示している。制御装置１３３は、媒体Ｐが挿入口１０ａに挿入されていないと判断している場合において、光源１２ａの点灯パターンと受光部１３２の検出結果とが異なることを検出したときには、左側の太枠部分に示すように光源１２ａの点灯パターンと受光部１３２の検出結果とが連続して異なった回数が１回以上４回未満であれば、外乱光の影響による誤検出と判断する。すなわち、図５に示す例では、制御装置１３３は、連続して「ＯＦＦ」と判断していた場合に、新たに「ＯＮ」と判断したときには、この「ＯＮ」が連続して１回以上４回未満であれば、外乱光の影響による誤検出と判断する。また、制御装置１３３は、媒体Ｐが挿入口１０ａに挿入されていると判断している場合において、破線部分に示すように光源１２ａの点灯パターンと受光部１３２の検出結果とが同じであることを検出したときには、右側の太枠部分に示すように光源１２ａの点灯パターンと受光部１３２の検出結果とが連続して同じである回数が１回以上４回未満であれば、外乱光の影響による誤検出と判断する。すなわち、図５に示す例では、制御装置１３３は、連続して「ＯＮ」と判断していた場合に、新たに「ＯＦＦ」と判断したときには、この「ＯＦＦ」が連続して１回以上４回未満であれば、外乱光の影響による誤検出と判断する。
【００６３】
画像読取装置１がＣＩＳ型の画像読取装置である場合には、図５に示す光源１２ａの点灯パターンにおいて、ＨｉレベルとＬｏレベルとの切り替わり毎に、光源１２ａに備えられているＲＬＥＤ、ＧＬＥＤ、ＢＬＥＤを１つずつ順番に繰り返し割り当てて発光させてもよい。図６は、既存光源の他の点滅状態における受光量とスライスとの関係を示すタイミングチャートである。図６における（ａ）は、光源１２ａの点灯パターンを示す図である。図６における（ｂ）は、受光部１３２が受光した光の受光レベルおよび色を示す図である。図６における（ｃ）は、媒体Ｐが挿入口１０ａに挿入されたか否かの判定結果を示す図である。
【００６４】
図６における（ａ）に示すように、制御装置１３３により、光源１２ａの出力をＨｉレベルとＬｏレベルとで交互に周期的に変更させながら、この出力レベルの切り替え毎にＲＬＥＤ、ＧＬＥＤ、ＢＬＥＤを、１つずつ順番に繰り返し割り当てて発光させる。すると、図６における（ｂ）に示すように、導光出射部１３１から出射された光は、媒体Ｐが挿入口１０ａに挿入されるまでは、光源１２ａの点灯パターンと同様のパターンで受光部１３２により検出される（時刻０≦ｔ＜ｔ４）。しかし、導光出射部１３１から出射された光は、媒体Ｐが挿入口１０ａに挿入されると（時刻ｔ＝ｔ４）、挿入口１０ａに挿入された媒体Ｐにより遮られ、受光部１３２により検出されない（時刻ｔ≧ｔ４）。
【００６５】
図６に示す例においても、図５に示す例と同様に、網掛け部分は、受光部１３２の検出結果が光源１２ａの点灯パターンと異なっている箇所を示している。制御装置１３３は、光源１２ａの点灯パターンと受光部１３２の検出結果とを比較し、受光部１３２の検出結果が光源１２ａの点灯パターンと異なっている箇所を抽出する。図６に示す例では、図５に示す例と同様に、受光部１３２が検出した光の実値が光源１２ａの点灯パターンと異なっている箇所を「ＯＦＦ」、受光部１３２が検出した光の実値が光源１２ａの点灯パターンと同じである箇所を「ＯＮ」と表記している。
【００６６】
制御装置１３３は、媒体検出装置１３が外乱光を検出した場合であるのか、あるいは、媒体検出装置１３が媒体Ｐを検出した場合であるのかを区別するために、光源１２ａの点灯パターンと受光部１３２の検出結果とが連続して複数回異なった場合に、媒体Ｐを検出したと判断する。図６に示す例では、制御装置１３３は、少なくとも光源１２ａの点灯パターンと受光部１３２の検出結果とが連続して２回、すなわち、すなわち、光源１２ａに入力される点灯指示の１パルス分以上異なった場合に（時刻ｔ＝ｔ５）、媒体Ｐが挿入口１０ａに挿入されたと判断する（時刻ｔ≧ｔ５）。つまり、制御装置１３３は、１パルス分の点灯指示で点滅する光源１２ａの点灯パターンと受光部１３２における受光量に対するスライスとからのみでは、媒体検出装置１３が外乱光を検出した場合であるのか、あるいは、媒体検出装置１３が媒体Ｐを検出した場合であるのかを区別できない。このため、制御装置１３３は、この１パルス分の点灯指示で点滅する光源１２ａで発光された光の色と受光部１３２が検出した光の色とを比較し、媒体検出装置１３が外乱光を検出した場合であるのか、あるいは、媒体検出装置１３が媒体Ｐを検出した場合であるのかを区別する。
【００６７】
図６に示す例では、制御装置１３３は、光源１２ａの点灯パターンと受光部１３２の検出結果とが連続して異なった回数が１回だけである場合には、受光部１３２が外乱光を検出したと判断し、媒体Ｐが挿入口１０ａに挿入されていないと判断する。つまり、制御装置１３３は、光源１２ａの点灯パターンと受光部１３２の検出結果とが異なる場合に、光源１２ａの点灯パターンと受光部１３２の検出結果との違いが外乱光の影響によるものなのか、あるいは、媒体Ｐが挿入口１０ａに挿入されたことによるものなのかを区別することができるだけでなく、図５に示す例と比較して、媒体Ｐが挿入口１０ａに挿入された時から媒体Ｐが挿入口１０ａに挿入されたか否かを判断するまでの期間を短縮する（｜ｔ５−ｔ４｜＜｜ｔ３−ｔ２｜）ことができる。したがって、媒体Ｐが挿入口１０ａに挿入されたか否かの判断精度をより一層向上させることができる。
【００６８】
また、図６における（ｃ）では、外乱光の影響により誤検出した箇所を太枠部分で示している。制御装置１３３は、媒体Ｐが挿入口１０ａに挿入されていないと判断している場合において、光源１２ａの点灯パターンと受光部１３２の検出結果とが異なることを検出したときには、左側の太枠部分に示すように光源１２ａの点灯パターンと受光部１３２の検出結果とが連続して異なった回数が１回以上２回未満であれば、外乱光の影響による誤検出と判断する。すなわち、図６に示す例では、制御装置１３３は、連続して「ＯＦＦ」と判断していた場合に、新たに「ＯＮ」と判断したときには、この「ＯＮ」が連続して１回以上２回未満であれば、外乱光の影響による誤検出と判断する。また、制御装置１３３は、媒体Ｐが挿入口１０ａに挿入されていると判断している場合において、破線部分に示すように光源１２ａの点灯パターンと受光部１３２の検出結果とが同じであることを検出したときには、右側の太枠部分に示すように光源１２ａの点灯パターンと受光部１３２の検出結果とが連続して同じである回数が１回以上２回未満であれば、外乱光の影響による誤検出と判断する。すなわち、図６に示す例では、制御装置１３３は、連続して「ＯＮ」と判断していた場合に、新たに「ＯＦＦ」と判断したときには、この「ＯＦＦ」が連続して１回以上２回未満であれば、外乱光の影響による誤検出と判断する。
【００６９】
図６に示す例では、制御装置１３３は、受光部１３２が受光した光の受光レベルおよび色に基づいて、光源１２ａの点灯パターンと受光部１３２の受光パターンとを比較するので、例えば、媒体Ｐが挿入口１０ａに挿入されている場合に、受光部１３２における受光レベルがＨｉレベルになっていたとしても、受光部１３２が受光した光の色が光源１２ａで点灯したＬＥＤからの光の色であるか否かを判別することで、受光部１３２が受光した光が光源１２ａで点灯したＬＥＤからの出射光であるか否かを判別することができる。つまり、制御装置１３３は、受光部１３２が光を検出した場合に、この検出した光が導光出射部１３１から出射された光であるのか、あるいは、外乱光であるのかを判別することができる。したがって、挿入口１０ａに挿入された媒体Ｐの検出精度を向上させることができる。
【００７０】
また、制御装置１３３は、撮像ユニット１２による媒体Ｐのスキャン時に、ＲＬＥＤ、ＧＬＥＤ、ＢＬＥＤを順次点灯するタイミングに合わせて、挿入口１０ａにおける媒体Ｐの有無を検出することが可能である。この場合、制御装置１３３は、撮像ユニット１２による媒体Ｐのスキャン時に、画像読取り対象である媒体Ｐの少なくとも一部が挿入口１０ａに存在するか否かを検出することができるので、例えば、挿入口１０ａにおいて画像読取り対象である媒体Ｐを検出していた状態からこの媒体Ｐを検出しなくなった場合に、画像読取り対象である媒体Ｐが装置本体１０から排出されると判断したり、あるいは、この媒体Ｐの読取領域の搬送方向の後端部を検出したりすることが可能である。
【００７１】
図７は、画像読取装置の動作手順の概略のフローチャートを示す図である。図７に示すように、まず、制御装置１３３は、画像読取装置１の電源がオフからオンになると、スキャンを行うにあたって、受光カウンタを初期化する（受光カウント値Ｎ＝０）とともに、カウント回数Ｎｃを初期化し（Ｎｃ＝０）、受光量のスライスを設定する（ステップＳ１）。
【００７２】
次に、制御装置１３３は、光源１２ａを、間欠的にＲ、Ｇ、Ｂの順に周期的に切り替え発光させ（ステップＳ２）、受光部１３２の検出結果が発光時に受光、あるいは、消灯時に非受光のいずれか一方に該当するか否かを判断する（ステップＳ３）。実施の形態１では、ステップＳ２において、制御装置１３３は、光源１２ａを間欠的にＲ、Ｇ、Ｂの順に周期的に切り替え発光させる。すなわち、実施の形態１では、制御装置１３３は、制御装置１３３により媒体Ｐが挿入口１０ａに挿入されたか否かを判断する場合に、光源１２ａを間欠的に動作させる。具体的には、実施の形態１では、制御装置１３３は、制御装置１３３により媒体Ｐが挿入口１０ａに挿入されたか否かを判断する場合に、光源１２ａを一定時間毎に動作させる。この一定時間は、実施の形態１では、ユーザが媒体Ｐを挿入口１０ａに挿入するのに要する時間と同程度の時間、例えば０．５秒に予め設定されている。この他、この一定時間は、例えば１秒というように、比較的短い時間に設定されていればよい。また、画像読取装置１が所謂ＣＩＳ型の画像読取装置である場合には、受光部１３２の検出結果が発光時に受光、あるいは、消灯時に非受光のいずれか一方に該当するか否かを判断するとき、制御装置１３３は、受光部１３２が受光した光の色や、光源１２ａで発光された光の出力レベルおよび受光部１３２が受光した光の受光レベルを判断材料に加え、媒体Ｐが挿入口１０ａに挿入されたか否かを判断する。
【００７３】
制御装置１３３は、受光部１３２の検出結果が発光時に受光、あるいは、消灯時に非受光のいずれか一方に該当すると判断した場合には（ステップＳ３肯定）、受光カウント値Ｎを、Ｎ＝Ｎ＋１、すなわち１つ増加させる（ステップＳ４）。制御装置１３３は、受光部１３２の検出結果が発光時に受光、あるいは、消灯時に非受光のいずれか一方に該当しないと判断した場合には（ステップＳ３否定）、受光カウント値Ｎを、Ｎ＝Ｎ、すなわち変更しない（ステップＳ５）。
【００７４】
制御装置１３３は、カウント回数Ｎｃが予め定められている測定回数である規定測定回数Ｎ０に達したか否か、すなわち、Ｎｃ＝Ｎ０となったか否かを判断し（ステップＳ６）、カウント回数Ｎｃが規定測定回数Ｎ０に達していないと判断した場合には（ステップＳ６否定）、カウント回数Ｎｃが規定測定回数Ｎ０に達するまで、光源１２ａを、間欠的にＲ、Ｇ、Ｂの順に周期的に切り替え発光させながら、受光部１３２の検出結果が発光時に受光、あるいは、消灯時に非受光のいずれか一方に該当するか否かを判断し、この判断結果に応じて、受光カウント値Ｎの更新を繰り返す（ステップＳ３〜Ｓ５）。制御装置１３３により受光カウント値Ｎの更新を繰り返した結果、受光カウント値Ｎは、光源１２ａの点灯パターンと受光部１３２の受光パターンとが等しかった回数の増加に伴い、増加することとなる。
【００７５】
制御装置１３３は、カウント回数Ｎｃが規定測定回数Ｎ０に達したと判断した場合（ステップＳ６肯定）、受光カウント値Ｎが判定値Ｘよりも小さいか否かを判断する（ステップＳ７）。この判定値Ｘは、媒体Ｐが挿入口１０ａに挿入されたか否かを判定するための受光カウント値Ｎに対するしきい値であり、予め定められているものである。制御装置１３３は、受光カウント値Ｎが判定値Ｘよりも小さいと判断した場合（ステップＳ７肯定）、媒体挿入と判定する（ステップＳ８）。
【００７６】
制御装置１３３は、媒体挿入と判定すると、媒体Ｐが挿入口１０ａに挿入されたか否かの判断を終了する（エンド）。制御装置１３３は、媒体挿入と判定して、媒体Ｐが挿入口１０ａに挿入されたか否かの判断を終了した場合、プレ引込制御およびスキャンを行う。ここでいうプレ引込制御とは、画像読取装置１の電源がオフからオンになると、図示しないスキャンボタンが押圧される前に、制御装置１３３により、駆動モータに電力を供給し、駆動ローラ１１１ａを回転させることで、挿入口１０ａに挿入された媒体Ｐの搬送方向の先端部を駆動ローラ１１１ａおよび従動ローラ１１１ｂに保持させるものである。
【００７７】
また、制御装置１３３は、受光カウント値Ｎが判定値Ｘ以上であると判断した場合（ステップＳ７否定）、媒体非挿入と判定する（ステップＳ９）。制御装置１３３は、媒体非挿入と判定すると、受光カウンタの初期化、カウント回数の初期化、および、受光量のスライスの設定を行い（ステップＳ１）、受光カウント値Ｎが判定値Ｘよりも小さくなったと判断（ステップ７肯定）するまで、光源１２ａを、間欠的にＲ、Ｇ、Ｂの順に周期的に切り替え発光させながら、受光カウント値Ｎの測定を繰り返す（ステップＳ２〜Ｓ６）。
【００７８】
以上説明したように、実施の形態１の画像読取装置１は、媒体Ｐが装置本体１０の挿入口１０ａに挿入されると、挿入口１０ａに挿入された媒体Ｐにより、導光出射部１３１から出射された光の少なくとも一部が挿入口１０ａ内で遮られ、受光部１３２が受光する光に変化が生じる。具体的には、例えば、受光部１３２が受光する光の量が減少する。このため、受光部１３２の検出結果は、媒体Ｐが挿入口１０ａに挿入されたか否かにより異なることとなる。したがって、受光部１３２の判断結果は、媒体Ｐが挿入口１０ａに挿入されたか否かにより異なるものとなる。つまり、挿入口１０ａに挿入された媒体Ｐを検出することができる。以上のように、新たな構成で、装置本体１０に挿入された媒体Ｐを検出することができる。また、挿入口１０ａに挿入された媒体Ｐを検出するための光源が光源１２ａとされているため、挿入口１０ａに媒体Ｐを検出するための光源を別途設けなくてもよい。また、１箇所に設置された受光部１３２により挿入口１０ａに挿入された媒体Ｐを検出することができるため、例えば、複数のセンサを幅方向に沿って設置する必要がない。したがって、装置の部品点数が削減され、装置の小型化を図ることができる。
【００７９】
また、制御装置１３３により媒体Ｐが挿入口１０ａに挿入されたか否かを判断する場合には、受光部１３２が導光出射部１３１から出射された光を外乱光とともに検出することがあるので、制御装置１３３により光源１２ａの点灯特性を媒体検出用の点灯特性に変更し、制御装置１３３により光源１２ａの媒体検出用の点灯特性と受光部１３２の検出結果とを比較し、この比較した結果に基づいて、媒体Ｐが挿入口１０ａに挿入されたか否かを判断することで、挿入口１０ａに挿入された媒体Ｐの検出精度を向上させることができる。つまり、制御装置１３３により媒体Ｐが挿入口１０ａに挿入されたか否かを判断する場合には、制御装置１３３により、受光部１３２が検出した、光源１２ａの点灯特性に対する変化に基づいて、媒体Ｐにより導光出射部１３１から出射された光の少なくとも一部が挿入口１０ａ内で遮られたか否かを判断することで、挿入口１０ａに挿入された媒体Ｐの検出精度を向上させることができる。
【００８０】
具体的には、例えば、制御装置１３３により媒体Ｐが挿入されたか否かを判断する場合に、制御装置１３３により光源１２ａを外乱光の特性と異なる点灯特性で発光させることで、受光部１３２の検出結果は、外乱光の影響を受けにくくなる。このため、挿入口１０ａに挿入された媒体Ｐの検出精度をより一層向上させることができる。
【００８１】
また、制御装置１３３は、発光時に受光、あるいは、消灯時に非受光であるか否かの判断結果が連続して同じ判断結果になったことを、媒体Ｐが挿入口１０ａに挿入されたか否かの判断材料に含めることで、挿入口１０ａに挿入された媒体Ｐの検出精度を向上させることができる。また、制御装置１３３は、受光カウント値Ｎが判定値Ｘよりも小さいか否かを判断する場合に、規定測定回数Ｎ０が大きい値に設定されるに伴い、挿入口１０ａに挿入された媒体Ｐの検出精度を向上させることができる。つまり、制御装置１３３は、受光部１３２の検出結果が光源１２ａの点灯特性と同一あるいは類似しているか否かに基づいて、媒体Ｐが挿入口１０ａに挿入されたか否かを判断することで、挿入口１０ａに挿入された媒体Ｐの検出精度を向上させることができる。
【００８２】
また、制御装置１３３により媒体Ｐが挿入口１０ａに挿入されたか否かを判断する場合に、光源１２ａを間欠的に動作させているので、媒体Ｐが挿入口１０ａに挿入されたか否かの判断時における光源１２ａの消費電力を低減させることができる。
【００８３】
〔実施の形態２〕
以下、実施の形態２に係る画像読取装置について説明する。図８は、実施の形態２に係る画像読取装置の要部を示す上面図である。実施の形態２に係る画像読取装置１は、受光部１３２の受光面１３２ａに外乱光が入射することを防止するために、外乱光遮断部材１３４を備えた点に特徴がある。この他、実施の形態２に係る画像読取装置１は、実施の形態１に係る画像読取装置１と基本的構成が同一であるので、その説明を省略する。
【００８４】
実施の形態２の受光部１３２は、挿入口１０ａの内部に設けられている。実施の形態２の受光部１３２は、挿入口１０ａの内部において、幅方向の他端部に設けられている。
【００８５】
外乱光遮断部材１３４は、受光部１３２の受光面１３２ａに対して挿入方向の上流側に設けられている。ここでいう挿入方向とは、媒体Ｐが挿入口１０ａに挿入される方向である。外乱光遮断部材１３４は、少なくとも外乱光の波長領域内の波長の光を透過させない部材である。実施の形態２では、外乱光遮断部材１３４は、壁状に形成されており、外乱光を遮断するものである。
【００８６】
以上から、実施の形態２では、光の通過領域は、出射部１３１ａから出射された光が幅方向に沿って、１本の光が挿入口１０ａの一端部と他端部との間を横切るものとなる。つまり、実施の形態２における光の通過領域は、実施の形態１における光の通過領域と同様である。
【００８７】
実施の形態２の画像読取装置１では、受光部１３２が導光出射部１３１から出射された光を外乱光とともに検出することがあるため、外乱光遮断部材１３４を受光部１３２の受光面１３２ａに対して挿入方向の上流側に設けることで、受光部１３２の受光面１３２ａと外乱光とを遮断している。つまり、受光部１３２の検出結果は外乱光の影響を受けなくなるため、挿入口１０ａに挿入された媒体Ｐの検出精度を向上させることができる。
【００８８】
図９は、画像読取装置の要部の他の例を示す上面図である。実施の形態２の画像読取装置１は、外乱光遮断部材１３４を備える代わりに、外乱光除去フィルタ１３５を備えていてもよい。実施の形態２の画像読取装置１では、受光部１３２は、挿入口１０ａの内部に設けられており、挿入口１０ａの内部において、幅方向の他端部に設けられている点は、図８に示す例と同様である。
【００８９】
外乱光除去フィルタ１３５は、受光部１３２の受光面１３２ａに配置されている。外乱光除去フィルタ１３５は、導光出射部１３１から出射された光を透過させるとともに、少なくとも外乱光の波長領域内の波長の光を透過させない光学フィルタである。
【００９０】
実施の形態２の画像読取装置１の他の例では、外乱光除去フィルタ１３５を受光部１３２の受光面１３２ａに配置することで、導光出射部１３１から出射された光と外乱光とを分離し、受光部１３２により外乱光が除去された光を検出する。この場合も、受光部１３２の検出結果は外乱光の影響を受けなくなるため、挿入口１０ａに挿入された媒体Ｐの検出精度を向上させることができる。
【００９１】
〔実施の形態３〕
以下、実施の形態３に係る画像読取装置について説明する。図１０は、実施の形態３に係る画像読取装置の概略を示す図である。実施の形態３に係る画像読取装置１は、光の通過領域を紙厚方向に広げるために、挿入口１０ａの紙厚方向の両端部に一対の反射板１３６をさらに備えた点に特徴がある。ここでいう紙厚方向とは、媒体Ｐが挿入口１０ａに挿入される方向である挿入方向および幅方向の双方と直交する方向である。この他、実施の形態３に係る画像読取装置１は、実施の形態１に係る画像読取装置１と基本的構成が同一であるので、その説明を省略する。
【００９２】
反射板１３６は、反射部材である。一対の反射板１３６は、挿入口１０ａの内部において、紙厚方向の両端部に互いに対向して設けられている。一対の反射板１３６は、互いに対向する側の表面である対向面に入射した光を反射させるものである。より詳しく述べると、一対の反射板１３６は、対向面に入射した光を全反射させるものである。以下、実施の形態３では、一対の反射板１３６による全反射を、単に反射ということとする。
【００９３】
実施の形態３の導光出射部１３１には、導光出射部１３１から出射される光の出射位置が紙厚方向において複数設定されている。実施の形態３の導光出射部１３１から出射される光の光軸は、一対の反射板１３６により反射された光が受光部１３２に受光されるように、一対の反射板１３６のうちいずれか一方の反射板１３６における対向面の法線方向と交差している。実施の形態３では、出射部１３１ａの出射位置が例えば２箇所設定されている。実施の形態３では、導光出射部１３１から出射される２本の光の光軸のうち一方は、一対の反射板１３６のうち一方の反射板１３６における対向面の法線方向と交差している。実施の形態３では、導光出射部１３１から出射される２本の光の光軸のうち他方は、一対の反射板１３６のうち他方の反射板１３６における対向面の法線方向と交差している。
【００９４】
以上から、実施の形態３では、光の通過領域は、出射部１３１ａから出射された光が幅方向に進みながら、一対の反射板１３６により繰り返し折り返されて、挿入口１０ａの一端部と他端部との間を横切るものとなる。
【００９５】
実施の形態３の画像読取装置１では、導光出射部１３１から出射された光は、挿入口１０ａの内部を通過する際に一対の反射板１３６により少なくとも１回反射されて、受光部１３２に到達する。挿入口１０ａでは、導光出射部１３１から出射された光は、幅方向だけでなく、紙厚方向にも移動しながら受光部１３２に到達するので、挿入口１０ａに挿入された媒体Ｐの紙厚方向の位置にバラツキが生じた場合であっても、挿入口１０ａに挿入された媒体Ｐにより導光出射部１３１から出射された光の少なくとも一部が遮られ、媒体Ｐが挿入口１０ａに挿入されていない場合と比べて、受光部１３２が受光する光に変化が生じる。具体的には、例えば、受光部１３２での受光量が減少する。つまり、挿入口１０ａに挿入された媒体Ｐの紙厚方向の位置にバラツキが生じた場合であっても、挿入口１０ａに挿入された媒体Ｐを検出することができる。
【００９６】
また、実施の形態３の画像読取装置１では、反射板１３６の反射面に対する入射角および反射角が小さくなるに伴い、反射板１３６の反射面における光の反射位置どうしの幅方向の間隔が狭まるので、実施の形態３の導光出射部１３１から出射される光の光軸を、一対の反射板１３６により反射された光が受光部１３２に受光されるように、一対の反射板１３６のうちいずれか一方の反射板１３６における対向面の法線方向とのなす角が小さくなるように交差させることで、反射板１３６の反射面における光の反射位置どうしの幅方向の間隔を狭めることができる。このため、画像読取装置１は、幅方向の幅が比較的狭い媒体Ｐが挿入口１０ａに挿入された場合であっても、この媒体Ｐを検出することができる。
【００９７】
また、実施の形態３の画像読取装置１では、導光出射部１３１から出射される光の光軸と、反射板１３６の対向面の法線とのなす角を、導光出射部１３１から出射される光ごとに異ならせれば、一対の反射板１３６により、挿入口１０ａの幅方向における様々な位置で導光出射部１３１から出射された光が反射されることとなり、挿入口１０ａに挿入された媒体Ｐの位置が、幅方向だけでなく紙厚方向においてバラツキがあっても、挿入口１０ａに挿入された媒体Ｐを検出することができる。つまり、この場合、挿入口１０ａに挿入された媒体Ｐの検出精度を向上させることができる。
【００９８】
実施の形態３の画像読取装置１は、導光出射部１３１が複数本の光を出射するものとしたが、導光出射部１３１が１本の光を出射するものであってもよい。この場合にも、実施の形態３の画像読取装置１は、挿入口１０ａに挿入された媒体Ｐを検出することができる。
【００９９】
〔実施の形態４〕
以下、実施の形態４に係る画像読取装置について説明する。図１１は、実施の形態４に係る画像読取装置の概略を示す図である。実施の形態４に係る画像読取装置１は、挿入口１０ａに挿入された媒体Ｐの紙厚方向の位置のバラツキに対応するために、光の通過領域を、紙厚方向において複数形成している点に特徴がある。この他、実施の形態４に係る画像読取装置１は、実施の形態１に係る画像読取装置１と基本的構成が同一であるので、その説明を省略する。
【０１００】
実施の形態４の導光出射部１３１には、導光出射部１３１から出射される光の出射位置が紙厚方向において複数設定されている。実施の形態４では、出射部１３１ａの出射位置が例えば３箇所設定されている。
【０１０１】
実施の形態４の受光部１３２には、導光出射部１３１において設定されている複数の出射位置それぞれに対応して、導光出射部１３１から出射された光の受光位置が紙厚方向において複数設定されている。実施の形態４では、受光部１３２の受光位置が例えば３箇所設定されている。
【０１０２】
以上から、実施の形態４では、光の通過領域は、出射部１３１ａから出射された複数本の光が紙厚方向に互いに平行に、幅方向に沿って、挿入口１０ａの一端部と他端部との間を横切るものとなる。つまり、実施の形態４における光の通過領域は、実施の形態１における光の通過領域を紙厚方向に複数存在させたものである。
【０１０３】
実施の形態４の画像読取装置１では、光源１２ａで発光された光は、挿入口１０ａでは、導光出射部１３１の紙厚方向における複数の出射位置から出射されて、受光部１３２の紙厚方向における複数の受光位置で受光される。つまり、挿入口１０ａの内部における導光出射部１３１から出射された光の通過領域は、紙厚方向に複数存在する。このため、挿入口１０ａに挿入された媒体Ｐの紙厚方向の位置にバラツキが生じた場合であっても、挿入口１０ａに挿入された媒体Ｐにより導光出射部１３１から出射された光の少なくとも一部が遮られ、受光部１３２が受光する光に変化が生じる。具体的には、挿入口１０ａに挿入された媒体Ｐの紙厚方向の位置にバラツキが生じた場合であっても、挿入口１０ａに挿入された媒体Ｐにより導光出射部１３１から出射された光の少なくとも一部が遮られ、受光部１３２での受光量を減少させることができる。つまり、挿入口１０ａに挿入された媒体Ｐの紙厚方向の位置にバラツキが生じた場合であっても、挿入口１０ａに挿入された媒体Ｐを検出することができる。
【０１０４】
また、実施の形態４の画像読取装置１は、挿入口１０ａの紙厚方向の寸法が比較的大きいものであっても、光の通過領域が紙厚方向に複数存在するため、挿入口１０ａに挿入された媒体Ｐの紙厚方向の位置にバラツキが生じた場合であっても、挿入口１０ａに挿入された媒体Ｐを検出することができる。したがって、実施の形態４の画像読取装置１は、この点でも、挿入口１０ａに挿入された媒体Ｐの検出精度を向上させることができる。
【０１０５】
〔実施の形態５〕
以下、実施の形態５に係る画像読取装置について説明する。図１２は、実施の形態５に係る画像読取装置の概略を示す図である。実施の形態５に係る画像読取装置１は、挿入口１０ａに挿入された媒体Ｐの検出精度を高めるために、光の通過領域を、正面視にて挿入口１０ａの開口部全体としている点に特徴がある。この他、実施の形態５に係る画像読取装置１は、実施の形態１に係る画像読取装置１と基本的構成が同一であるので、その説明を省略する。
【０１０６】
実施の形態５の画像読取装置１は、一対の導光プリズム１３７をさらに備えたものである。一対の導光プリズム１３７は、第１導光プリズム１３７ａと、第２導光プリズム１３７ｂとを備えている。
【０１０７】
第１導光プリズム１３７ａは、第１光屈折部材である。第１導光プリズム１３７ａは、挿入口１０ａの内部において、紙厚方向の一端部に設けられている。第１導光プリズム１３７ａは、導光出射部１３１と光学的に接続されている。第１導光プリズム１３７ａは、導光出射部１３１から出射された光を入射し、この入射した光を屈折させることで幅方向における複数の位置から挿入口１０ａの内部に出力する。実施の形態５では、第１導光プリズム１３７ａは、導光出射部１３１から出射された光を幅方向に沿って導光するとともに拡散させ、第２導光プリズム１３７ｂへ向けてこの拡散させた光を出力するものである。
【０１０８】
第２導光プリズム１３７ｂは、第２光屈折部材である。第２導光プリズム１３７ｂは、挿入口１０ａの内部において、紙厚方向の他端部に第１導光プリズム１３７ａと対向して設けられている。第２導光プリズム１３７ｂは、受光部１３２と光学的に接続されている。第２導光プリズム１３７ｂは、挿入口１０ａの内部を通過した光を入射し、この入射した光を屈折させることで収束させて受光部１３２に出力する。
【０１０９】
以上から、実施の形態５では、光の通過領域は、第１導光プリズム１３７ａおよび第２導光プリズム１３７ｂの内部を含んでおり、正面視にて挿入口１０ａの開口部全体となる。
【０１１０】
実施の形態５の画像読取装置１では、媒体Ｐが装置本体１０の挿入口１０ａに挿入されていない場合には、光源１２ａで発光された光が導光出射部１３１および第１導光プリズム１３７ａを介して第１導光プリズム１３７ａと第２導光プリズム１３７ｂとの間を通過し、さらに、第２導光プリズム１３７ｂを介して受光部１３２により受光される。つまり、挿入口１０ａの内部における導光出射部１３１から出射された光の通過領域は、挿入口１０ａの紙厚方向の一端部から他端部まで存在する。このため、挿入口１０ａに挿入された媒体Ｐの紙厚方向の位置にバラツキが生じた場合であっても、挿入口１０ａに挿入された媒体Ｐにより導光出射部１３１から出射された光の少なくとも一部が遮られ、媒体Ｐが挿入口１０ａに挿入されていない場合と比べて、受光部１３２が受光する光が変化する。具体的には、例えば、受光部１３２での受光量が減少する。つまり、挿入口１０ａに挿入された媒体Ｐの紙厚方向の位置にバラツキが生じた場合であっても、挿入口１０ａに挿入された媒体Ｐを検出することができる。
【０１１１】
また、挿入口１０ａにおいて、拡散された光が第１導光プリズム１３７ａから第２導光プリズム１３７ｂに向けて出力されるので、媒体Ｐが挿入口１０ａに挿入されていない場合には、挿入口１０ａの内部全体が光の通過領域となる。このため、媒体Ｐが挿入口１０ａに挿入されている場合には、この媒体Ｐが挿入口１０ａ全体を通過する光の少なくとも一部を遮ることになるので、媒体Ｐが挿入口１０ａに挿入されていない場合と比べて、受光部１３２が受光する光が確実に変化する。具体的には、例えば、受光部１３２による受光量が確実に低下する。つまり、挿入口１０ａに挿入された媒体Ｐの検出精度を向上させることができる。
【０１１２】
〔実施の形態６〕
以下、実施の形態６に係る画像読取装置について説明する。図１３は、実施の形態６に係る画像読取装置の概略を示す図である。図１３に示すように、実施の形態６の画像読取装置１は、実施の形態５の画像読取装置１に対して、外乱光が第２導光プリズム１３７ｂや受光部１３２の受光面１３２ａに入射することを防止するために、外乱光除去フィルタ１３８および外乱光遮断部材１３４をさらに備えた点に特徴がある。この外乱光遮断部材１３４の設置位置等は、実施の形態２で説明した外乱光遮断部材１３４と同様であるので、その説明を省略する。また、実施の形態６の画像読取装置１における光の通過領域は、前述の実施の形態５の画像読取装置１における光の通過領域と同様であるので、その説明を省略する。この他、実施の形態６に係る画像読取装置１は、実施の形態５に係る画像読取装置１と基本的構成が同一であるので、その説明を省略する。
【０１１３】
外乱光除去フィルタ１３８は、第２導光プリズム１３７ｂの第１導光プリズム１３７ａ側の表面である入射面に配置されており、第２導光プリズム１３７ｂの入射面全体を覆っている。外乱光除去フィルタ１３８は、第１導光プリズム１３７ａから出射された光を透過させるとともに、少なくとも外乱光の波長領域内の光を透過させない光学フィルタである。
【０１１４】
実施の形態６の画像読取装置１では、外乱光除去フィルタ１３８を第２導光プリズム１３７ｂの入射面に配置し、なおかつ、外乱光遮断部材１３４を受光部１３２の受光面１３２ａに対して挿入方向の上流側に設けることで、導光出射部１３１から出射された光と外乱光とを分離するとともに、受光部１３２の受光面１３２ａと外乱光とを遮断している。つまり、受光部１３２の検出結果は外乱光の影響を受けなくなるため、挿入口１０ａに挿入された媒体Ｐの検出精度をより一層向上させることができる。
【０１１５】
実施の形態６の画像読取装置１は、外乱光除去フィルタ１３８および外乱光遮断部材１３４を備えたものとしたが、外乱光除去フィルタ１３８あるいは外乱光遮断部材１３４のうちいずれか一方を備えたものであってもよい。この場合、実施の形態６の画像読取装置１は、導光出射部１３１から出射された光と外乱光とを分離するか、あるいは、受光部１３２の受光面１３２ａと外乱光とを遮断するかのいずれかを行うものとなる。このため、受光部１３２の検出結果は、外乱光の影響が抑制されたものとなる。したがって、この場合にも、挿入口１０ａに挿入された媒体Ｐの検出精度を向上させることができる。
【０１１６】
また、実施の形態６の画像読取装置１は、外乱光遮断部材１３４を備えたものとしたが、この外乱光遮断部材１３４の代わりに、前述の実施の形態２で説明した外乱光除去フィルタ１３５を備え、この外乱光除去フィルタ１３５が受光部１３２の受光面１３２ａに配置されたものとしてもよい。この場合にも、受光部１３２の検出結果は外乱光の影響を受けなくなるため、挿入口１０ａに挿入された媒体Ｐの検出精度をより一層向上させることができる。
【０１１７】
〔実施の形態７〕
以下、実施の形態７に係る画像読取装置について説明する。図１４は、実施の形態７に係る画像読取装置の概略を示す図である。図１４における（ａ）は、画像読取装置１の概略を示す正面図である。図１４における（ｂ）は、画像読取装置１の要部を拡大して示す正面図である。図１４に示すように、実施の形態７の画像読取装置１は、実施の形態５の画像読取装置１に対して、媒体Ｐにより反射されたフレア光が第２導光プリズム１３７ｂに入射することを抑制するために、出射用スリット板１３９ａおよび入射用スリット板１３９ｂを備えた点に特徴がある。この他、実施の形態７に係る画像読取装置１は、実施の形態５に係る画像読取装置１と基本的構成が同一であるので、その説明を省略する。
【０１１８】
出射用スリット板１３９ａは、第１導光プリズム１３７ａの第２導光プリズム１３７ｂ側の表面である出射面に配置されており、第１導光プリズム１３７ａの出射面全体を覆っている。出射用スリット板１３９ａは、幅方向に並んで形成された複数の出射スリット１３９ｃを備えている。出射スリット１３９ｃは、第１導光プリズム１３７ａにより散乱された光を、第１導光プリズム１３７ａから第２導光プリズム１３７ｂ側に出射させるためのスリットである。実施の形態７では、複数の出射スリット１３９ｃは、出射用スリット板１３９ａにおいて幅方向に一定間隔おきに形成されている。
【０１１９】
入射用スリット板１３９ｂは、第２導光プリズム１３７ｂの入射面に配置されており、第２導光プリズム１３７ｂの入射面全体を覆っている。入射用スリット板１３９ｂは、幅方向に並んで形成された複数の入射スリット１３９ｄを備えている。入射用スリット板１３９ｂには、出射用スリット板１３９ａにおいて形成されている複数の出射スリット１３９ｃそれぞれに対応して、入射スリット１３９ｄが複数形成されている。つまり、入射用スリット板１３９ｂにおける入射スリット１３９ｄは、出射用スリット板１３９ａにおける出射スリット１３９ｃと同数だけ形成されている。各入射スリット１３９ｄは、対応する出射スリット１３９ｃと紙厚方向に対向している。実施の形態７では、複数の入射スリット１３９ｄは、複数の出射スリット１３９ｃと紙厚方向に対向して、入射用スリット板１３９ｂにおいて幅方向に一定間隔おきに形成されている。第１導光プリズム１３７ａから出射用スリット板１３９ａの出射スリット１３９ｃを介して出射された光は、挿入口１０ａ内を紙厚方向に沿って通過し、入射用スリット板１３９ｂの入射スリット１３９ｄを介して第２導光プリズム１３７ｂに入射される。
【０１２０】
以上から、実施の形態７の画像読取装置１における光の通過領域は、第１導光プリズム１３７ａおよび第２導光プリズム１３７ｂの内部と、第１導光プリズム１３７ａから出射された複数本の光が幅方向に互いに平行に、紙厚方向に沿って、第１導光プリズム１３７ａの出射面と第２導光プリズム１３７ｂの入射面との間を横切るものとを合わせたものとなる。つまり、実施の形態７の画像読取装置１においても、光の通過領域は、幅方向において、挿入口１０ａの一端部から他端部まで存在したものとなる。
【０１２１】
実施の形態７の画像読取装置１では、第１導光プリズム１３７ａの出射面に出射用スリット板１３９ａを配置するとともに、第２導光プリズム１３７ｂの入射面に入射用スリット板１３９ｂを配置しているので、導光出射部１３１から出射された光は、第１導光プリズム１３７ａを介した後、出射スリット１３９ｃおよび入射スリット１３９ｄを通過し、第２導光プリズム１３７ｂを介して、受光部１３２に入射する。つまり、受光部１３２は、出射スリット１３９ｃおよび入射スリット１３９ｄを通過した光を検出する。
【０１２２】
実施の形態７の画像読取装置１では、出射用スリット板１３９ａにより第１導光プリズム１３７ａから出射される光の光量を絞っているので、挿入口１０ａに挿入された媒体Ｐに照射される光が光量過多となることを抑制することができる。このため、挿入口１０ａに挿入された媒体Ｐによりフレア光が発生することを抑制することができる。
【０１２３】
また、入射用スリット板１３９ｂにより、媒体Ｐにより発生したフレア光や外乱光が第２導光プリズム１３７ｂに入射することが抑制されるので、入射スリット１３９ｄを通過する光、すなわち、第２導光プリズム１３７ｂを介して受光部１３２が検出する光に、媒体Ｐにより発生したフレア光や外乱光が含まれることを抑制することができる。したがって、媒体Ｐの検出精度を向上させることができる。
【０１２４】
つまり、出射用スリット板１３９ａおよび入射用スリット板１３９ｂにより、受光部１３２の検出結果は媒体Ｐにより発生したフレア光や外乱光の影響が抑制されたものとなるため、挿入口１０ａに挿入された媒体Ｐの検出精度をより一層向上させることができる。
【０１２５】
実施の形態７の画像読取装置１は、出射用スリット板１３９ａおよび入射用スリット板１３９ｂを備えたものとしたが、出射用スリット板１３９ａおよび入射用スリット板１３９ｂのうちいずれか一方を備えたものであってもよい。この場合、実施の形態７の画像読取装置１は、媒体Ｐによるフレア光の発生を抑制するか、あるいは、媒体Ｐより発生したフレア光や外乱光が受光部１３２により検出されることを抑制するかのいずれかを行うものとなる。したがって、この場合にも、受光部１３２の検出結果はフレア光や外乱光の影響が抑制されたものとなり、挿入口１０ａに挿入された媒体Ｐの検出精度を向上させることができる。
【０１２６】
また、実施の形態７の画像読取装置１では、複数の出射スリット１３９ｃおよび複数の入射スリット１３９ｄは、それぞれ幅方向に一定間隔おきに形成されたものとしたが、これに限らない。複数の出射スリット１３９ｃおよび複数の入射スリット１３９ｄは、それぞれ幅方向に一定間隔おきに形成されていなくても、それぞれ幅方向に並んで形成され、なおかつ、互いに紙厚方向に対向していればよい。この場合、実施の形態７の画像読取装置１は、媒体Ｐによるフレア光の発生を抑制するとともに、媒体Ｐより発生したフレア光や外乱光が受光部１３２により検出されることを抑制するものとなる。したがって、この場合にも、受光部１３２の検出結果はフレア光や外乱光の影響が抑制されたものとなり、挿入口１０ａに挿入された媒体Ｐの検出精度を向上させることができる。
【０１２７】
以上、実施の形態１〜７について説明したが、実施の形態１〜７の画像読取装置１は、導光出射部１３１および受光部１３２がともに挿入口１０ａの幅方向一端部に設けられており、反射ミラーが挿入口１０ａの幅方向他端部に設けられていてもよい。すなわち、挿入口１０ａの幅方向一端部から光が出射され、この出射された光が挿入口１０ａの内部を幅方向に横切り、反射ミラーにより挿入口１０ａの幅方向他端部で反射され、この反射された光が再度挿入口１０ａの内部を幅方向に横切り（ただし光の向きは、反対方向）、挿入口１０ａの幅方向一端部で受光部１３２により受光されるものであってもよい。
【０１２８】
以上、実施の形態１〜７について説明したが、実施の形態１〜７の画像読取装置１は、制御装置１３３により光源１２ａの点灯特性を媒体検出用の点灯特性に変更しないで発光させてもよい。この場合にも、実施の形態１〜７の画像読取装置１は、挿入口１０ａに挿入された媒体Ｐを検出することができる。
【０１２９】
また、実施の形態１〜７の画像読取装置１では、既存光源は、撮像ユニット１２に備えられている光源１２ａとしたが、これに代えて、装置本体１０に設けられたインジケータランプや、パイロットランプであってもよい。
【０１３０】
また、実施の形態３〜５、７の画像読取装置１は、前述の実施の形態２で説明した外乱光遮断部材１３４をさらに備え、この外乱光遮断部材１３４が受光部１３２の受光面１３２ａに対して挿入方向の上流側に設けられたものとしてもよい。また、実施の形態３〜５、７の画像読取装置１は、この外乱光遮断部材１３４の代わりに、前述の実施の形態２で説明した外乱光除去フィルタ１３５をさらに備え、この外乱光除去フィルタ１３５が受光部１３２の受光面１３２ａに配置されたものとしてもよい。これらの場合には、受光部１３２の検出結果は外乱光の影響を受けなくなるため、挿入口１０ａに挿入された媒体Ｐの検出精度をより一層向上させることができる。
【産業上の利用可能性】
【０１３１】
以上のように、本発明に係る画像読取装置は、シート状の媒体を搬送しながら撮像する画像読取装置として有用であり、特に、シート状の媒体が挿入口に挿入される際に、挿入口に挿入されるシート状の媒体の幅方向の位置決めが不要とされた所謂フリーセットスキャナとして有用である。
【符号の説明】
【０１３２】
１        画像読取装置
１０      装置本体
１０ａ    挿入口
１２      撮像ユニット
１２ａ    光源（既存光源）
１３      媒体検出装置
１３１    導光出射部
１３１ａ  出射部
１３１ｂ  導光部材
１３１ｃ  出射面
１３２    受光部
１３２ａ  受光面
１３３    制御装置（判断部、点灯制御装置）
１３４    外乱光遮断部材
１３５    外乱光除去フィルタ
１３６    反射板（反射部材）
１３７    導光プリズム
１３７ａ  第１導光プリズム（第１光屈折部材）
１３７ｂ  第２導光プリズム（第２光屈折部材）
Ｐ        媒体（シート状の媒体）
【図１】
0005610826.tif 000002
【図２】
0005610826.tif 000003
【図３】
0005610826.tif 000004
【図４】
0005610826.tif 000005
【図５】
0005610826.tif 000006
【図６】
0005610826.tif 000007
【図７】
0005610826.tif 000008
【図８】
0005610826.tif 000009
【図９】
0005610826.tif 000010
【図１０】
0005610826.tif 000011
【図１１】
0005610826.tif 000012
【図１２】
0005610826.tif 000013
【図１３】
0005610826.tif 000014
【図１４】
0005610826.tif 000015